(57)【要約】      （修正有）【課題】雨の日の自転車での移動時の傘だけでは防ぎきれない雨による運転者と荷物の濡れを軽減できる雨よけ付自転車前カゴカバーを提供する。【解決手段】撥水または防水性の素材で、前カゴ外周を包み込む外周カバー５とハンドルに近い側に前カゴ奥行程度のマチ部分を含むカゴ側面および背面カバー３と前カゴ開口部より大きな樹脂性の板を内包する上ブタ１と内ブタ２とで構成され、外周カバーの内側上部四隅にある係止紐８を前カゴに結ぶことにより取り付ける。カゴより大きい荷物を入れる場合はハンドル中央付近のマチ部分のとめ具を外してたたんでいたマチ部分を拡げて利用する。雨天時にはフタとめ具４を外し、上ブタ１を開き、上ブタ先端部の自転車用傘ホルダーへの取り付け具６を自転車用傘ホルダーの傘固定具の上部に接続することにより、運転者と荷物を雨濡れから守る。【選択図】図１
0003210178.tif 000002
【実用新案登録請求の範囲】
【請求項１】
撥水または防水性の素材で、前カゴ外周を包み込むカバーと、ハンドルに近い側に荷物の背面と側面を覆うためのマチ部分を含むカバーと、前カゴ開口部より大きな樹脂性の板を内包するフタ２枚とで構成され、雨天時には上ブタを開き、自転車用傘ホルダーの傘固定具の上部に上ブタを接続することにより雨よけとして利用できることを特徴とする雨よけ付自転車前カゴカバー。
【請求項２】
カゴより大きい荷物を入れる場合や雨天時にはハンドル中央付近のマチ部分のとめ具を外して利用できるマチ部分を有する雨よけ付自転車前カゴカバー。
【請求項３】
必要のない時にはハンドル中央付近のマチ部分のとめ具をつけることによってたためるマチ部分を有する雨よけ付自転車前カゴカバー。
【考案の詳細な説明】
【技術分野】
【０００１】  本考案は雨よけ機能を備えた自転車前カゴカバーに関するものである。
【背景技術】
【０００２】  雨天時の自転車での移動は傘だけでは雨が防ぎきれず運転者が濡れてしまう。
カッパの利用は運転者の雨濡れ軽減に有効だが着脱するための場所や時間を必要とし、雨に濡れたカッパはその置き場所に困ったり、着脱の繰り返しで雨濡れを増やすことも多い。
雨天時にはカゴの荷物も濡れてしまう。
従来のカゴカバーはカゴの外形に近い箱状でファスナーによって開閉するものが多く、それより大きな荷物を入れるとフタが閉められず荷物が濡れてしまう。
カゴカバーの上部にたまった雨水も運転者や荷物を濡らす原因となる。
【考案の概要】
【考案が解決しようとする課題】
【０００３】  雨の日の自転車での移動時に傘と前カゴの間から降り込む雨を雨よけによって軽減し、運転者の雨濡れを減らすとともに、前カゴカバーにマチ部分を設けることにより自転車の前カゴより大きな荷物を収納することができ、雨天時には荷物を雨濡れから守れる雨よけ付自転車前カゴカバーを提供する。
【課題を解決するための手段】
【０００４】  撥水または防水性の素材で、前カゴ外周を包み込むカバーと、ハンドルに近い側に荷物の背面と側面を覆うためのマチ部分を含むカバーと、前カゴ開口部より大きな樹脂性の板を内包するフタ２枚とで構成され、カバーの内側上部四隅にある係止紐を前カゴに結ぶことにより取り付ける。
カゴより大きい荷物を入れる場合や雨天時にはハンドル中央付近のマチ部分のとめ具を外してマチ部分を利用する。
雨天時には上ブタを開き、自転車用傘ホルダーの傘固定具の上部に上ブタを接続することにより雨よけとして利用する。
【考案の効果】
【０００５】  雨天時の自転車での移動時に上ブタを開き自転車用傘ホルダーの傘固定具の上部に上ブタを接続することにより雨よけとして利用し、傘と前カゴの間から降り込む雨を遮り運転者の雨濡れを軽減できる。
雨よけの上ブタと前カゴの内ブタとで傾斜をつくるので、カバー上部に雨水がたまらない。
必要がない時はたたんでおいて必要な時に簡単に雨よけが利用できる。
自転車の前カゴに直に取り付ける雨具なのでカッパのようにかさばらない。
前カゴカバーのマチ部分を利用して大きな荷物の収納もでき、前カゴの荷物を雨や汚れ、直射日光から守ることができる。
前カゴの内容物が外から見えないのでプライバシーの保護やひったくりの防止に役立つ。
【図面の簡単な説明】
【０００６】
【図１】  本考案の前面斜視図である。
【図２】  本考案の背面斜視図である。
【図３】  本考案の使用状態を示す側面図である。
【図４】  本考案の使用状態を示す前面斜視図である。
【図５】  本考案の使用状態を示す前面斜視図である。
【図６】  本考案の使用状態を示す前面斜視図である。
【考案を実施するための形態】
【０００７】  以下、本考案の実施の形態について説明する。
晴天時には上ブタと内ブタを閉じたまま使用する。
カゴより大きい荷物を入れる場合や雨天時にはハンドル中央付近のマチ部分のとめ具を外してマチ部分を利用する。
雨天時には上ブタを開き、上ブタ先端部の取り付け具を自転車用傘ホルダーの傘固定具の上部に接続して雨よけとして利用する。
【考案の実施例】
【０００８】  本考案の実施の形態の特徴的なところは雨天時には上ブタを開き、上ブタ先端部の取り付け具を自転車用傘ホルダーの傘固定具の上部に接続して雨よけとして利用できることである。
カゴカバーにマチ部分を設けることによって大きな荷物を前カゴに入れることが可能となり雨濡れを防げる。
カゴカバーのフタは荷物の形にそってしなるのでリュックなどの大きな荷物も前カゴに入れることができ雨濡れから守れる。
雨よけの上ブタを自転車用傘ホルダーの固定具の上部に接続して傾斜をつくるのでカゴカバー上部に雨水がたまらない。
【符号の説明】
【０００９】  １  上ブタ
２  内ブタ
３  マチ部分を含むカゴ側面および背面カバー
４  フタとめ具
５  外周カバー
６  自転車用傘ホルダーへの取り付け具
７  マチ部分のとめ具
８  係止紐
９  マジックテープ
【図１】
0003210178.tif 000003
【図２】
0003210178.tif 000004
【図３】
0003210178.tif 000005
【図４】
0003210178.tif 000006
【図５】
0003210178.tif 000007
【図６】
0003210178.tif 000008
【手続補正書】
【提出日】平成29年2月14日(2017.2.14)
【手続補正１】
【補正対象書類名】実用新案登録請求の範囲
【補正対象項目名】全文
【補正方法】変更
【補正の内容】
【実用新案登録請求の範囲】
【請求項１】
自転車の前カゴに装着するカバーであって、撥水または防水性の素材で、
前カゴ外周を包み込み、前面に内ブタを係着できる部分を設けた外周カバーと、
前カゴ奥行程度のマチ部分を含み、荷物の背面と側面を覆うことができるカゴ側面および背面カバーと、
前カゴ開口部より大きな樹脂性の板を内包し、前カゴ開口部を覆い、前カゴ前面に係着できる部分を設けた内ブタと
前カゴ開口部より大きな樹脂性の板を内包し、前記内ブタを覆い、中央先端に自転車用傘ホルダーへの取り付け具を設けた上ブタとで構成され、
前記マチ部分を含むカゴ側面および背面カバーの裾と前記外周カバーの上端を自転車のハンドルに近い一辺で縫着し、
前記マチ部分を含むカゴ側面および背面カバーの上端と前記内ブタを内ブタ外周の前面以外の三辺で縫着し、
前記内ブタと前記上ブタを自転車のハンドルに近い一辺で縫着され、
雨天時には前記上ブタを開き、自転車用傘ホルダーの傘固定具の上部に接続することにより雨よけとして利用できることを特徴とする雨よけ付自転車前カゴカバー。
【請求項２】
雨天時には開いて雨よけとして利用し、必要のない時には前記内ブタに係着できる前記上ブタを有することを特徴とする請求項１に記載の雨よけ付自転車前カゴカバー。
【請求項３】
カゴより大きい荷物を入れる場合や雨天時にはハンドル中央付近のマチ部分のとめ具を外して利用でき、必要のない時にはハンドル中央付近のマチ部分のとめ具をつけることによってたためるマチ部分を有することを特徴とする請求項１又は２に記載の雨よけ付自転車前カゴカバー。